(57)【要約】      （修正有）【課題】結合面積を増大させて、安定的に結合させることができ、広がって損壊することがないジオグリッドの接合面構造を提供する。【解決手段】ジオグリッド１を不規則なざらざら面のある複数の板１１を積み重ねて形成し、それらの板を等間隔に排列して各板の間に平坦面１１１を形成する。その平坦面で各板を超音波作業で結合し、引っ張り拡張可能な蜂の巣状の構造体を形成し、引っ張り拡張して多くのインディビジュアルセル１２を形成する。拡げて形成した各インディビジュアルセル内に埋戻し材料を嵌め込んで、各種治水・治山工事や土地緑化作業を行うことにより、安定的に結合し、広がって損壊してしまう現象が起きない。【選択図】図１
0003189762.tif 000002
【実用新案登録請求の範囲】
【請求項１】
不規則なざらざら面のある複数の板を積み重ねてジオグリッドを形成したジオグリッドの接合面構造であって、
前記複数の板を等間隔に排列して平坦面を形成し、前記複数の板の間は前記平坦面で超音波作業で結合され、前記ジオグリッドは引っ張り拡張可能な蜂の巣状の構造体を形成し、引っ張り拡張すると多くのインディビジュアルセルを形成することを特徴とする、
ジオグリッドの接合面構造。
【考案の詳細な説明】
【技術分野】
【０００１】
本考案は、ジオグリッドの接合面構造に関し、より詳しくはジオグリッドの結合面における結合面積を増大させて、より一層安定的に結合させることができ、広がって損壊することがなく、全体的に使用する上でさらに実用効率を高めることを特徴とするジオグリッドの接合面構造の斬新な設計に関する。
【背景技術】
【０００２】
一般に土地緑化や治水・治山等の関連作業を行う際に、通常、地面にジオグリッドを設置する。一般的なジオグリッドは構造設計上、その層はプラスチック板を相互に積み重ねて、超音波で局部を溶接して蜂の巣状を形成するが、使用しない場合は、これを重ね合わせて平板状にし、使用する際に引っ張って拡げて蜂の巣構造を形成して、蜂の巣構造内に土砂等の埋戻し材料を詰め込んで、施工場所で運用することができる。
しかし、前記ジオグリッドはプラスチック板が滑かな平面板であることから、埋戻し材料を蜂の巣状のジオグリッドの孔の中に装設する際、土砂等の埋戻し材料と滑かな平面板であるプラスチック板との間の沈下力が両者間の摩擦力より大きいために、その摩擦の接合度が小さく、埋戻し材料が流失し易くなる。
【０００３】
従って、業者は図４のような既存の局部拡大構造の概略図に示されたジオグリッド（２）を研究開発した。
前記ジオグリッド（２）は主に複数の不規則なざらざら面のある板（２１）を超音波作業で結合して積み重ね、引っ張って拡張可能な蜂の巣状の構造体を形成し、蜂の巣状の構造体には複数のインディビジュアルセル（２２）を形成して、各インディビジュアルセル（２２）内に埋戻し材料を対応させて嵌め込んで、板（２１）の不規則なざらざら面を利用して埋戻し材料間との摩擦力を高め、埋戻し材料の流失を防止することができる。
【考案の概要】
【考案が解決しようとする課題】
【０００４】
然しながら、前述した従来のジオグリッド技術では、埋戻し材料が流失するのを防止する予測効果は達成できたものの、前記ジオグリッドの板が不規則なざらざら面となっているため、実際に操作すると、積層して超音波で局部を溶接結合する際、各接合面が何れも不規則なざらざら面となって接触面積が縮小し、効果的に確実な結合固定が行えず、埋戻し材料を嵌め込むと、広がって損壊し易くなり、構造全体の設計面で依然として改良の余地があることが分かった。
【０００５】
そこで、本考案者は上記の欠点が改善可能と考え、鋭意検討を重ねた結果、合理的設計で上記の課題を効果的に改善する本考案の提案に到った。
【０００６】
本考案は、このような従来の問題に鑑みてなされたものである。上記課題解決のため、本考案は、ジオグリッドの接合面構造を提供することを主目的とする。
本考案のジオグリッドの接合面構造は、主にジオグリッドの不規則なざらざら面のある各板の間を等間隔で排列して平坦面を形成し、各板は超音波作業によって平坦面で結合して、結合面における結合面積を増大させ、より一層安定的に結合させて、広がって損壊しないようにして、全体的に使用面でより実用的な利便性を高める。
【課題を解決するための手段】
【０００７】
上述した課題を解決し、目的を達成するために、本考案に係るジオグリッドの接合面構造は主にジオグリッドを不規則なざらざら面のある複数の板を積み重ねて形成したジオグリッドの接合面構造であって、前記不規則なざらざら面のある板を等間隔に排列して平坦面を形成して、板の間は平坦面で超音波作業で結合し、前記ジオグリッドは引っ張り拡張可能な蜂の巣状の構造体を形成し、引っ張り拡張すると多くのインディビジュアルセルを形成することを特徴とする。
【考案の効果】
【０００８】
本考案によれば、結合面における結合面積を増大させて、より一層安定的に結合させ、広がって損壊することがなく、全体的に使用する上でさらに実用的で利便性の高いジオグリッドが得られる。
【図面の簡単な説明】
【０００９】
【図１】本考案の第１実施形態に係るジオグリッドの接合面構造を示す傾斜概略図である。
【図２】本考案の第１実施形態に係るジオグリッドの接合面構造を示す一部構造の拡大概略図である。
【図３】本考案の第２実施形態に係るジオグリッドの接合面構造を示す一部構造の拡大概略図である。
【図４】従来のジオグリッドの接合面構造を示す一部構造の拡大概略図である。
【考案を実施するための形態】
【００１０】
（実施形態）
以下に図面を参照して、本考案を実施するための形態について、詳細に説明する。なお、本考案は、以下に説明する実施形態に限定されるものではない。  
【００１１】
以下、本考案のジオグリッドの接合面構造を図１〜３に基づいて説明する。図１は本考案の第１実施形態に係るジオグリッドの接合面構造の傾斜概略図であり、図２は本考案の第１実施形態に係るジオグリッドの接合面構造を示す一部構造の拡大概略図であり、図３は本考案の第２実施形態に係るジオグリッドの接合面構造を示す一部構造の拡大概略図である。
【００１２】
本考案は主に前記ジオグリッド（１）を、複数の不規則なざらざら面のある板（１１）を積み重ねて形成する。このうち、前記不規則なざらざら面のある板（１１）を等間隔で排列して平坦面（１１１）を形成し、板（１１）の間は平坦面（１１１）を超音波作業で結合し、前記ジオグリッド（１）は引っ張り拡張可能な蜂の巣状の構造体を形成し、ジオグリッド（１）は引っ張り拡張すると多くのインディビジュアルセル（１２）を形成する。
【００１３】
こうすると、前記ジオグリッド（１）を引っ張って拡げて形成した各インディビジュアルセル（１２）内に埋戻し材料を嵌め込んで、各種治水・治山工事や土地緑化作業等を行うことができ、また、前記ジオグリッド（１）が不規則なざらざら面のある板（１１）の間で、平坦面（１１１）を利用して超音波結合作業を行うことにより、より一層安定的に結合させることができ、広がって損壊してしまう現象が起きない。
【００１４】
上述したように、本考案に係る構造の構成と使用する際の実施説明により、本考案と既存の構造を比較すると、本考案は主にジオグリッドの各不規則なざらざら面のある板の間を等間隔で排列して平坦面を形成し、各板は超音波作業によって平坦面で結合して結合面における結合面積を増大させ、より一層安定的に結合させることができ、広がって損壊することがなく、全体的に使用面でより実用的な利便性を高めることが分かる。
【００１５】
上述の実施形態は本考案の技術思想及び特徴を説明するためのものにすぎず、当該技術分野を熟知する者に本考案の内容を理解させると共にこれをもって実施させることを目的とし、本考案の特許請求の範囲を限定するものではない。従って、本考案の精神を逸脱せずに行う各種の同様の効果をもつ改良又は変更は、後述の請求項に含まれるものとする。
【符号の説明】
【００１６】
１      ジオグリッド
１１    板
１１１  平坦面
１２    インディビジュアルセル
２      ジオグリッド
２１    板
２２    インディビジュアルセル
【図１】
0003189762.tif 000003
【図２】
0003189762.tif 000004
【図３】
0003189762.tif 000005
【図４】
0003189762.tif 000006